(57)【要約】【課題】コンパクト化を図ることができるオストメイト用流し装置を提供する。【解決手段】ライニングの前方の面に設けられたボールと、前記ライニングから引き出し可能に設けられ、吐水ヘッドが接続されたホースと、前記ライニングの内部に設けられ、前記ボールに供給する水を収納するタンクと、前記ライニングの内部に設けられ、前記ホースの一部を収納するトレイと、を備え、前記トレイの前方の側面は、前記タンクの前方の側面よりも後方に配置されているオストメイト用流し装置である。【選択図】図２
2018174971.tif 000002
【特許請求の範囲】
【請求項１】
ライニングの前方の面に設けられたボールと、
前記ライニングから引き出し可能に設けられ、吐水ヘッドが接続されたホースと、
前記ライニングの内部に設けられ、前記ボールに供給する水を収納するタンクと、
前記ライニングの内部に設けられ、前記ホースの一部を収納するトレイと、
を備え、
前記トレイの前方の側面は、前記タンクの前方の側面よりも後方に配置されているオストメイト用流し装置。
【請求項２】
前記ライニング、および、前記トレイの少なくともいずれかと着脱可能に設けられ、前記ライニングの内部に押し戻された前記ホースを前記トレイの内部に導くガイドをさらに備えた請求項１記載のオストメイト用流し装置。
【請求項３】
前記タンクの前方の側面の少なくとも一部は、前記ライニングの内部に押し戻された前記ホースを前記トレイの内部に導く傾斜面となっている請求項１記載のオストメイト用流し装置。
【請求項４】
前記ガイドの前記トレイ側の端部は、前記トレイの上端から離間している請求項２記載のオストメイト用流し装置。
【請求項５】
前記ガイドの前記トレイ側の端部は、前記トレイの前方の側面の内壁を含む平面内にある請求項２または４に記載のオストメイト用流し装置。
【請求項６】
前記ボールと、前記ライニングと、の間に設けられた第１のパネルと、
前記第１のパネルの右側方または左側方に、前記ライニングの前方の面と着脱可能に設けられた第２のパネルと、
をさらに備えた請求項１〜５のいずれか１つに記載のオストメイト用流し装置。
【発明の詳細な説明】
【技術分野】
【０００１】
本発明の態様は、一般に、オストメイト用流し装置に関する。
【背景技術】
【０００２】
人工肛門や人工膀胱などの保持者であるオストメイトと呼ばれる人々は、身体の腹部に排泄物（以下、汚物という）を溜めておくための袋、いわゆるパウチを装着しており、時折、トイレにおいて溜まった汚物を廃棄したり、パウチの内面、ストーマ（腹部に造設された排泄口）、ストーマ付近の腹部などに付着した汚物を洗い流すなどの作業を行う必要がある。
【０００３】
近年、オストメイトと呼ばれる人々が外出先で気兼ねをすることなくこれらの作業を行うことのできる施設（以下、多機能トイレという）の設置が進められている。    
この多機能トイレには、大便器とは別にオストメイト用流し装置が設けられている。オストメイト用流し装置には、ボウルが設けられ、ボウルの上方には、水栓、ボウルに投入された汚物を排出させるための操作ボタン、液体石鹸供給器などがさらに設けられている（特許文献１を参照）。
【０００４】
ここで、多機能トイレには、オストメイト用流し装置の他に、例えば、乳児用の設備や大型ベッドなどが併せて設けられる場合が多い。  
この様に、多機能トイレの内部には、多種類の設備が設けられたり、車いす用の転回スペースが必要となったりする。  
そのため、多機能トイレの内部に設けられるオストメイト用流し装置に対してコンパクト化が要求されている。
【先行技術文献】
【特許文献】
【０００５】
【特許文献１】特開２０１６−７７５９４号公報
【発明の概要】
【発明が解決しようとする課題】
【０００６】
本発明の態様は、かかる課題の認識に基づいてなされたものであり、コンパクト化を図ることができるオストメイト用流し装置を提供する。
【課題を解決するための手段】
【０００７】
第１の発明は、ライニングの前方の面に設けられたボールと、前記ライニングから引き出し可能に設けられ、吐水ヘッドが接続されたホースと、前記ライニングの内部に設けられ、前記ボールに供給する水を収納するタンクと、前記ライニングの内部に設けられ、前記ホースの一部を収納するトレイと、を備え、前記トレイの前方の側面は、前記タンクの前方の側面よりも後方に配置されているオストメイト用流し装置である。  
このオストメイト用流し装置によれば、ライニングの前後方向の寸法を小さくすることができるのでオストメイト用流し装置のコンパクト化を図ることができる。  
ここで、オストメイト用流し装置が設けられる多機能トイレには、多種類の設備が設けられる。例えば、多機能トイレには、オストメイト用流し装置の他に、例えば、乳児用の設備や大型ベッドなどが併せて設けられる場合が多い。そのため、多機能トイレの内部には、配置した設備とは別に車いす用の転回スペースが必要となる。このオストメイト用流し装置によれば、ライニングの前後方向の寸法を小さくすることができるので、車いす用の転回スペースを確保するのが容易となる。
【０００８】
第２の発明は、第１の発明において、前記ライニング、および、前記トレイの少なくともいずれかと着脱可能に設けられ、前記ライニングの内部に押し戻された前記ホースを前記トレイの内部に導くガイドをさらに備えたオストメイト用流し装置である。  
このオストメイト用流し装置によれば、メンテナンスなどの際に、ライニングの内部にあるトレイの取り出しが容易となる。
【０００９】
第３の発明は、第１の発明において、前記タンクの前方の側面の少なくとも一部は、前記ライニングの内部に押し戻された前記ホースを前記トレイの内部に導く傾斜面となっているオストメイト用流し装置である。  
このオストメイト用流し装置によれば、タンクの側面に、ホースをガイドする機能を持たせることができる。
【００１０】
第４の発明は、第２の発明において、前記ガイドの前記トレイ側の端部は、前記トレイの上端から離間しているオストメイト用流し装置である。  
このオストメイト用流し装置によれば、トレイをライニングから取り出す際に、ガイドとトレイとが干渉するのを抑制することができる。そのため、トレイをライニングから容易に取り出すことができる。
【００１１】
第５の発明は、第２または第４の発明において、前記ガイドの前記トレイ側の端部は、前記トレイの前方の側面の内壁を含む平面内にあるオストメイト用流し装置である。  
このオストメイト用流し装置によれば、ホースの表面に凹凸がある場合であっても、トレイからホースを引き出す際に、ガイドの端部にホースが引っかかるのを抑制することができる。
【００１２】
第６の発明は、第１〜５のいずれか１つの発明において、前記ボールと、前記ライニングと、の間に設けられた第１のパネルと、前記第１のパネルの右側方または左側方に、前記ライニングの前方の面と着脱可能に設けられた第２のパネルと、をさらに備えたオストメイト用流し装置である。  
このオストメイト用流し装置によれば、第２のパネルが着脱可能に設けられているので、メンテナンスなどの際に第２のパネルをライニングから取り外すことができる。そのため、作業者が、作業性の良いライニングの前方からライニングの内部にあるトレイなどを容易に取り出すことができる。
【発明の効果】
【００１３】
本発明の態様によれば、コンパクト化を図ることができるオストメイト用流し装置を提供できる。
【図面の簡単な説明】
【００１４】
【図１】本発明の実施形態に係るオストメイト用流し装置１を前方（正面側）から見た斜視図である。
【図２】本発明の実施形態に係るオストメイト用流し装置１を後方（背面側）から見た斜視図である。
【図３】（ａ）〜（ｃ）は、トレイ１６と、ガイド１５のトレイ１６側の端部との位置関係を例示するための断面図である。
【図４】（ａ）、（ｂ）は、トレイ１６の前方の側面１６ａを例示するための断面図である。
【図５】（ａ）〜（ｃ）は、タンク１４の前方の側面１４ｂと、トレイ１６の前方の側面１６ａとの位置関係を例示するための側面図である。
【図６】（ａ）、（ｂ）は、他の実施形態に係るタンク１４を例示するための斜視図である。
【発明を実施するための形態】
【００１５】
以下、図面を参照しつつ、本発明の実施の形態について例示をする。尚、各図面中、同様の構成要素には同一の符号を付して詳細な説明は適宜省略する。
【００１６】
本願明細書においては、オストメイト用流し装置のボウルの前に立った使用者からみて上方を「上方」とし、下方を「下方」とし、右側を「右側方」とし、左側を「左側方」とする。また、オストメイト用流し装置の使用者側を「前方」とし、その反対方向を「後方」とする。
【００１７】
図１は、本発明の実施形態に係るオストメイト用流し装置１を前方（正面側）から見た斜視図である。  
図２は、本発明の実施形態に係るオストメイト用流し装置１を後方（背面側）から見た斜視図である。  
図１および図２に示すように、オストメイト用流し装置１には、ライニング２、パネル３（第１のパネルの一例に相当する）、パネル４（第２のパネルの一例に相当する）、天板５、ボウル６、水栓７、液体石鹸供給器８、水栓操作ハンドル９、トイレットペーパーホルダ１０、鏡１１、ボウル洗浄ボタン１２、排水配管１３、タンク１４、ガイド１５、およびトレイ１６が設けられている。
【００１８】
ライニング２は、骨組構造を有している。ライニング２は、ネジなどの締結部材を用いて多機能トイレの壁面などに取り付けることができる。  
また、ライニング２の内部の上方には、載置台２ａが設けられている。載置台２ａは、ボウル６の上端よりも高い位置に設けられている。載置台２ａの上にはタンク１４が載置される。
【００１９】
ライニング２の内部には、載置台２ｂが設けられている。載置台２ｂの上にはトレイ１６が載置される。載置台２ｂにはトレイ１６の位置が動くのを抑制するためのガイド２ｂ１を設けることができる。ガイド２ｂ１は、例えば、トレイ１６が載置台２ｂの上に載置された際に、トレイ１６の近傍に位置するように設けることができる。
【００２０】
載置台２ｂは、載置台２ａより低い位置に設けることもできるし、載置台２ａと同じ高さの位置に設けることもできるし、載置台２ａより高い位置に設けることもできる。図２に例示をした載置台２ｂは、載置台２ａより低い位置に設けられている。なお、載置台２ｂが載置台２ａと同じ高さの位置に設けられる場合には、載置台２ａにトレイ１６を載置することができる。この場合、載置台２ｂは省くことができる。  
また、平面視において（ライニング２を上方から見て）、載置台２ｂは載置台２ａと重なる位置に設けることもできるし、載置台２ａと重ならない位置に設けることもできる。
【００２１】
パネル３は、ライニング２の前方の面に設けられている。パネル３は、ネジなどの締結部材を用いてライニング２に取り付けることができる。パネル３は、ボール６とライニング２との間に設けられている。  
パネル４は、ライニング２の前方の面に設けられている。パネル４は、ネジなどの締結部材や引掛け金具などを用いてライニング２に取り付けることができる。この場合、パネル４は、ライニング２に着脱可能に取り付けられている。パネル４が着脱可能に取り付けられていれば、メンテナンスなどの際にパネル４をライニング２から容易に取り外すことができる。そのため、作業者が、作業性の良いライニング２の前方からライニング２内部にあるトレイ１６などを容易に取り出すことができる。
パネル３とパネル４は、左右方向に並べて設けられている。この場合、パネル４は、パネル３の右側方に設けることもできるし、パネル３の左側方に設けることもできる。
【００２２】
天板５は、ライニング２の上方の面に設けられている。天板５は、マジックテープ（登録商標）などの締結部材を用いてライニング２に取り付けることができる。  
なお、図示は省略したが、ライニング２の右側方の面、および左側方の面にもパネルを設けることができる。
【００２３】
ボウル６は、ライニング２の前方の面に設けられている。ボウル６は、パネル３を介してライニング２に取り付けることができる。ボウル６は、例えば、陶器、合成樹脂、合成樹脂にセラミック材や陶器粉を混入させたものなどから形成することができる。
【００２４】
ボウル６は、汚物の洗浄や投入がしやすいように上面が大きく開口し、前方にはリップ部６ａが設けられている。リップ部６ａは、背の高いオストメイトであってもこのリップ部６ａに腹部を押し当てて容易に汚物の処理ができるような形状となっている。すなわち、オストメイトが前かがみになり腹部をリップ部６ａに押し当てた状態で汚物を処理している最中に汚物が漏出しても、汚物がボウル６の中に自然に入っていくように、ボウル６の前方に向けて凸状に湾曲した形状となっている。また、ボウル６の開口の下方には図示しない封水部が設けられている。封水部は屈曲した流路を有し、サイホン現象が発現可能とされている。ボウル６の後方の下部には、封水部と連通する排水口６ｂが設けられている。そのため、封水部により悪臭の発生を抑制しつつ、排水口６ｂから汚物と水の排出ができるようになっている。また、ボウル６の開口の近傍には図示しない案内部が設けられている。案内部は供給された水をボウル６の内壁に沿って流すことで旋回流を形成する。ボウル６の後方の上部には、案内部と連通する給水口６ｃが設けられている。
【００２５】
水栓７は、ホルダ７ａ、吐水ヘッド７ｂ、およびホース７ｃを有する。  
ホルダ７ａは、筒状を呈し、孔の内部に挿入された吐水ヘッド７ｂを保持することができるようになっている。ホルダ７ａの一方の端部は、パネル３の前方の面に露出している。ホルダ７ａの他方の端部は、ライニング２に取り付けることができる。例えば、ホルダ７ａは、ネジなどの締結部材を用いてライニング２の前方の面に取り付けることができる。
【００２６】
吐水ヘッド７ｂは、例えば、シャワー状の吐水を行うものとすることができる。吐水ヘッド７ｂは、ボウル６の開口の上方に設けられ、シャワー状の吐水がボウル６の開口内に入るようになっている。なお、吐水ヘッド７ｂの吐水形態はシャワー状に限定されるわけではなく適宜変更することができる。
【００２７】
ホース７ｃの一端は吐水ヘッド７ｂに接続され、ライニング２の内部において、ホース７ｃの他端は水栓操作ハンドル９を介して水源に接続されている。ホース７ｃは、可撓性を有している。ホース７ｃは、例えば、フレキシブル金属ホースとすることができる。ホース７ｃが接続された吐水ヘッド７ｂをホルダ７ａに装着した際には、ライニング２の内部においてホース７ｃが撓むようになっている。そのため、ホース７ｃが接続された吐水ヘッド７ｂをホルダ７ａから引き出すことができる。すなわち、ホース７ｃは、ライニング２から引き出し可能に設けられ、吐水ヘッド７ｂと接続されている。また、ホース７ｃが接続された吐水ヘッド７ｂをホルダ７ａに再び装着することができる。ライニング２の内部においてホース７ｃの撓んだ部分は、トレイ１６の内部に収納されるようになっている。また、ホース７ｃの移動は、ガイド１５に沿って行われるようになっている。
【００２８】
液体石鹸供給器８は、パネル３の前方の面に設けられている。液体石鹸供給器８は、ボウル６の開口の上方に設けられている。液体石鹸供給器８は、少量の液体石鹸を吐出可能とするものである。液体石鹸供給器８は、液体石鹸を収容するためのタンクと、タンクの下方に設けられた吐出手段とを有する。
【００２９】
水栓操作ハンドル９は、パネル３の前方の面に設けられている。水栓操作ハンドル９は、吐水ヘッド７ｂからの吐水の開始、吐水の停止、および吐水量の調整を行う。また、ライニング２の内部に図示しない温調機構および電気温水器を設け、水栓操作ハンドル９の操作量に応じて吐水の温度調整と吐水量の調整ができるようにしてもよい。
【００３０】
トイレットペーパーホルダ１０は、パネル４の前方の面に設けられている。トイレットペーパーホルダ１０は、トイレットペーパーを保持する。  
鏡１１は、パネル３の前方の面に設けられている。鏡１１は、例えば、ストーマ及びその周辺を視認することができる位置に設けることができる。  
ボウル洗浄ボタン１２は、パネル４の前方の面に設けられている。
【００３１】
排水配管１３は、ライニング２の内部に設けられている。排水配管１３の一端はボウル６の排水口６ｂに接続され、排水配管１３の他端は外部の下水配管などに接続されている。排水配管１３は、可撓性を有する配管とすることができる。排水配管１３は、例えば、蛇腹タイプの配管とすることができる。
【００３２】
タンク１４は、ボール６に供給する水を収納する。タンク１４は、ライニング２の内部に設けられている。タンク１４は、ボウル６の上端より高い位置に設けられている。タンク１４は、配管１４ａおよび図示しない電磁バルブを介してボウル６の給水口６ｃに接続されている。そのため、タンク１４の内部に収納された水の位置エネルギーを利用して、ボウル６の内部に水を供給することができる。
【００３３】
使用者がボウル洗浄ボタン１２を押すと、電磁バルブが所定の時間の間開いて、タンク１４に収納されていた水がボウル６の内部に供給される。ボウル６の内部に供給された水は案内部により旋回流となり、ボウル６の内壁面に付着した汚物などを洗い流す。ボウル６の下部に落下した水と汚物は、水の勢いと封水部において発現したサイホン現象により、排水配管１３を介して外部の下水配管などに排出される。
【００３４】
ガイド１５は、ホース７ｃの撓み部分をトレイ１６の内部に収納したり、ホース７ｃの撓み部分をトレイ１６の内部から引き出したりする際にガイドの役割を果たす。またさらに、ホース７ｃに付着した水がガイド１５に伝わった場合には、ガイド１５に付着した水をトレイ１６の内部に導く。  
ガイド１５は、板材から形成することができる。ガイド１５は、例えば、ステンレスなどの金属板を折り曲げて形成することができる。ガイド１５は、傾斜面１５ａを有する。傾斜面１５ａは、トレイ１６側になるに従いパネル３から離れる方向に傾斜している。
【００３５】
図２に例示をしたように、ガイド１５のパネル３側の端部には取付座１５ｂを設けることができる。取付座１５ｂは、ネジなどの締結部材を用いてライニング２に取り付けられる。この場合、ガイド１５のトレイ１６側の端部は、トレイ１６に固定しない。そのため、トレイ１６はライニング２から容易に取り出すことができる。
【００３６】
また、ガイド１５のトレイ１６側の端部に保持部を設け、保持部をトレイ１６に着脱可能に保持させることもできる。例えば、保持部をトレイ１６の開口の縁に差し込んで、ガイド１５をトレイ１６に着脱可能に保持させることができる。この場合、ガイド１５のパネル３側の端部は、ライニング２に固定する必要はないので取付座１５ｂを省くことができる。また、ガイド１５のパネル３側の端部にも保持部を設け、保持部をライニング２に着脱可能に保持させることもできる。すなわち、ガイド１５は、ライニング２およびトレイ１６の少なくともいずれかと着脱可能に設けられ、ライニング２の内部に押し戻されたホース７ｃをトレイ１６の内部に導く。
この様にすれば、トレイ１６をライニング２から容易に取り出すことができる。
【００３７】
図３（ａ）〜（ｃ）は、トレイ１６と、ガイド１５のトレイ１６側の端部との位置関係を例示するための断面図である。  
図３（ａ）に示すように、ガイド１５のトレイ１６側の端部１５ｃは、トレイ１６の内部に設けることができる。この様にすれば、ホース７ｃに付着した水がガイド１５に伝わった場合であっても、ガイド１５に付着した水をトレイ１６の内部に確実に導入することができる。
【００３８】
この場合、図３（ｂ）に示すように、ガイド１５の端部１５ｃは、トレイ１６の上端から離間している様にすることができる。すなわち、ガイド１５の端部１５ｃと、トレイ１６の上端との間に隙間Ｌ１を設けることができる。この様にすれば、トレイ１６をライニング２から取り出す際に、ガイド１５とトレイ１６とが干渉するのを抑制することができる。そのため、トレイ１６をライニング２から容易に取り出すことができる。
【００３９】
前述したように、ホース７ｃがフレキシブル金属ホースとされる場合がある。フレキシブル金属ホースの表面には凹凸があるため、トレイ１６からフレキシブル金属ホースを引き出す際に、ガイド１５の端部１５ｃにフレキシブル金属ホースが引っかかる場合がある。
図３（ｃ）に示すように、ガイド１５の端部１５ｃが、トレイ１６の前方の側面１６ａの内壁１６ｂを含む平面内にある様にすれば、ガイド１５の端部１５ｃにフレキシブル金属ホースが引っかかるのを抑制することができる。この場合、ガイド１５の端部１５ｃとトレイ１６の上端とが接触する様にすれば、ガイド１５の端部１５ｃとトレイ１６との位置関係がずれるのを抑制することができる。
【００４０】
トレイ１６は、ライニング２の内部に設けられている。トレイ１６は、ホース７ｃの撓んだ部分の収納、および、ホース７ｃおよびガイド１５を伝わって滴下する水の貯留を行う。トレイ１６は、上端が開口した箱状を呈している。  
トレイ１６の前方の側面１６ａと底面１６ｃとがなす角度θは、９０°以上とすることができる。  
図４（ａ）、（ｂ）は、トレイ１６の前方の側面１６ａを例示するための断面図である。
図４（ａ）に示すように、トレイ１６の前方の側面１６ａと底面１６ｃとがなす角度θは、９０°とすることができる。この様にすれば、トレイ１６の製造が容易となる。  
図４（ｂ）に示すように、トレイ１６の前方の側面１６ａと底面１６ｃとがなす角度θは、９０°を超えるものとすることができる。トレイ１６の内部へのホース７ｃの収納と、トレイ１６の内部からのホース７ｃの引き出しのたびに、ホース７ｃと側面１６ａの内壁１６ｂとが擦れることになる。そのため、ホース７ｃがフレキシブル金属ホースである場合には、側面１６ａの内壁１６ｂが損傷するおそれがある。この場合、側面１６ａと底面１６ｃとがなす角度θが９０°を超えるものとすれば、側面１６ａの内壁１６ｂの損傷を抑制することができる。また、トレイ１６の内部にホース７ｃを収納する際に誘い込みとなるので、ホース７ｃの収納を円滑に行うことができる。  
本発明者らの得た知見によれば、側面１６ａと底面１６ｃとがなす角度θを１０５°程度とすれば、内壁１６ｂの損傷のさらなる軽減と、ホース７ｃの収納のさらなる円滑化を図ることができる。
【００４１】
次に、タンク１４の前方の側面１４ｂと、トレイ１６の前方の側面１６ａとの位置関係について説明する。  
図５（ａ）〜（ｃ）は、タンク１４の前方の側面１４ｂと、トレイ１６の前方の側面１６ａとの位置関係を例示するための側面図である。  
本実施の形態に係るオストメイト用流し装置１においては、トレイ１６の前方の側面１６ａは、タンク１４の前方の側面１４ｂよりも後方に配置されている。この様にすれば、ライニング２の前後方向の寸法を小さくすることができるのでオストメイト用流し装置１のコンパクト化を図ることができる。  
この場合、図５（ａ）〜（ｃ）に示すように、トレイ１６の前方の側面１６ａの最も前方の部分１６ａ１が、タンク１４の前方の側面１４ｂの最も前方の部分１４ｂ１よりも後方に配置される様にすることができる。  
この場合、タンク１４の前方の側面１４ｂの最も前方の部分１４ｂ１と、トレイ１６の前方の側面１６ａの最も前方の部分１６ａ１との間の距離をＬ２とした場合に、Ｌ２≧０とすればよい。
【００４２】
また、図５（ａ）に示すように、トレイ１６はタンク１４の下方に設けることもできる。図５（ｂ）に示すように、トレイ１６はタンク１４の左側方または右側方に設けることもできる。図５（ｃ）に示すように、トレイ１６はタンク１４の上方に設けることもできる。
なお、トレイ１６の後方の側面１６ｄの位置には特に限定がなく、ライニング２の内部であればよい。
【００４３】
ここで、オストメイト用流し装置１が設けられる多機能トイレには、多種類の設備が設けられる。例えば、多機能トイレには、オストメイト用流し装置１の他に、例えば、乳児用の設備や大型ベッドなどが併せて設けられる場合が多い。そのため、多機能トイレの内部には、配置した設備とは別に車いす用の転回スペースが必要となる。本実施の形態に係るオストメイト用流し装置１とすれば、ライニング２の前後方向の寸法を小さくすることができるので、車いす用の転回スペースを確保するのが容易となる。
【００４４】
図６（ａ）、（ｂ）は、他の実施形態に係るタンク１４を例示するための斜視図である。  図６（ａ）、（ｂ）に示すように、タンク１４の前方の側面１４ｂの一部には凹部１４ｂ２が設けられている。凹部１４ｂ２はタンク１４の底面１４ｃに開口している。図６（ａ）に示すように、凹部１４ｂ２の下方にはトレイ１６を設けることができる。図６（ｂ）に示すように、凹部１４ｂ２の内部には、トレイ１６を設けることができる。
【００４５】
また、凹部１４ｂ２の前方の面１４ｂ２ａは傾斜面となっている。面１４ｂ２ａは、タンク１４の底面１４ｃ側になるに従い前方の側面１４ｂから後方に離れる方向に傾斜している。  
【００４６】
この様にすれば、タンク１４の面１４ｂ２ａに、前述したホース７ｃをガイドする機能を持たせることができる。  
すなわち、タンク１４の前方の側面の少なくとも一部は、ライニング２の内部に押し戻されたホース７ｃをトレイ１６の内部に導く傾斜面とすることができる。
また、図６（ｂ）に例示をしたように、凹部１４ｂ２の内部にトレイ１６を設ければ、オストメイト用流し装置１をさらにコンパクトにすることが可能となる。
【００４７】
以上、実施の形態について例示をした。しかし、本発明はこれらの記述に限定されるものではない。  
前述の実施の形態に関して、当業者が適宜設計変更を加えたものも、本発明の特徴を備えている限り、本発明の範囲に包含される。  
また、前述した各実施の形態が備える各要素は、可能な限りにおいて組み合わせることができ、これらを組み合わせたものも本発明の特徴を含む限り本発明の範囲に包含される。
【符号の説明】
【００４８】
１  オストメイト用流し装置、２  ライニング、３  パネル、４  パネル、６  ボウル、７  水栓、７ａ  ホルダ、７ｂ  吐水ヘッド、７ｃ  ホース、１４  タンク、１４ｂ  側面、１４ｂ１  部分、１４ｂ２  凹部、１４ｂ２ａ  面、１５  ガイド、１５ａ  傾斜面、１５ｃ  端部、１６  トレイ、１６ａ  側面、１６ａ１  部分、１６ｂ  内壁、１６ｃ  底面
【図１】
2018174971.tif 000003
【図２】
2018174971.tif 000004
【図３】
2018174971.tif 000005
【図４】
2018174971.tif 000006
【図５】
2018174971.tif 000007
【図６】
2018174971.tif 000008